(57)【要約】【課題】電話交換装置や電話端末の不正使用の防止を図るようにした。【解決手段】主装置１ＡのＣＰＵ１１２において、システムが起動された際に、呼処理動作の実行に先立ち、情報の書き込み不能なメモリ１１４に記憶されているシステム種別情報を利用して、ボタン電話端末Ｔ１，Ｔ２を使用するユーザが主装置１Ａの正当な使用権利を持つものであるか否かを判定し、この判定結果に基づきボタン電話端末Ｔ１，Ｔ２の使用を許可するようにしている。【選択図】      図１
2005167422.tif 000002
【特許請求の範囲】
【請求項１】
少なくとも１つの電話端末を通信回線を介して接続可能な電話交換装置であって、
前記電話端末に対し、互いに異なる呼処理機能を実行するための複数の呼処理情報を格納する第１の格納手段と、
装置ごとに予め付与され、前記複数の呼処理機能の中から指定された呼処理機能を実行するための許可情報を情報の書き込み不能な記録媒体に格納する第２の格納手段と、
要求される呼処理機能に応じて、該当する呼処理情報を読み出すとともに前記記録媒体から許可情報を読み出し、これら情報に基づき呼処理機能の実行に関する制御を行う制御手段とを具備したことを特徴とする電話交換装置。
【請求項２】
さらに、装置固有の固有識別情報を情報の書き込み不能な記録媒体に格納する第３の格納手段と、
前記固有識別情報の複製を防止するための複製防止情報を前記記録媒体に格納する第４の格納手段とを備え、
前記制御手段は、前記呼処理情報と前記許可情報とに基づき要求される呼処理機能の実行が許可された場合に、前記記録媒体から前記固有識別情報及び前記複製防止情報を読み出し、これら情報に基づき呼処理機能の実行に関する制御を行うことを特徴とする請求項１記載の電話交換装置。
【請求項３】
前記第４の格納手段は、前記複製防止情報として、前記固有識別情報を秘密情報を用いて暗号化した暗号化情報を前記記録媒体に格納し、
前記制御手段は、前記記録媒体から前記固有識別情報及び前記暗号化情報を読み出すとともに、前記暗号化情報を前記秘密情報を用いて復号し、この復号した情報と前記固有識別情報とが一致した場合に要求される呼処理機能の実行を許可することを特徴とする請求項２記載の電話交換装置。
【請求項４】
前記第２の格納手段は、前記許可情報として、接続端末数、使用回線数及び各呼処理機能についての動作可否、及び使用国の少なくとも１つを規定する情報を前記記録媒体に格納することを特徴とする請求項１記載の電話交換装置。
【請求項５】
複数の通信回線間の交換を行う電話交換装置と、前記通信回線の終端に接続される電話端末とを具備し、
前記電話端末は、
自端末の種類を示す第１端末種別情報を情報の書き込み不能な記録媒体に格納する第１の格納手段を備え、
前記電話交換装置は、
接続可能な電話端末の第２端末種別情報を情報の書き込み不能な記録媒体に格納する第２の格納手段と、
前記電話端末が前記通信回線に接続された場合に、当該電話端末から前記第１端末種別情報を取得するとともに、前記記録媒体から前記第２端末識別情報を読み出してこれら情報を比較し、これら比較結果に基づき前記電話端末の接続認証に関する制御を行う制御手段とを備えたことを特徴とする電話交換システム。
【請求項６】
前記制御手段は、前記電話端末の接続可否の判定結果を、接続元の電話端末に通知することを特徴とする請求項５記載の電話交換システム。
【請求項７】
少なくとも１つの電話端末を通信回線を介して接続可能な電話交換装置の制御方法であって、
前記電話端末に対し、互いに異なる呼処理機能を実行するための複数の呼処理情報を格納し、
装置ごとに予め付与され、前記複数の呼処理機能の中から指定された呼処理機能を実行するための許可情報を情報の書き込み不能な記録媒体に格納し、
要求される呼処理機能に応じて、該当する呼処理情報を読み出すとともに前記記録媒体から許可情報を読み出し、これら情報に基づき呼処理機能の実行に関する制御を行うことを特徴とする電話交換装置の制御方法。
【請求項８】
複数の通信回線間の交換を行う電話交換装置と、前記通信回線の終端に接続される電話端末とを具備した電話交換システムで使用される制御方法であって、
前記電話端末において、自端末の種類を示す第１端末種別情報を情報の書き込み不能な記録媒体に格納し、
前記電話交換装置において、接続可能な電話端末の第２端末種別情報を情報の書き込み不能な記録媒体し、
前記電話交換装置において、電話端末が前記通信回線に接続された場合に、当該電話端末から前記第１端末種別情報を取得するとともに、前記記録媒体から前記第２端末識別情報を読み出してこれら情報を比較し、これら比較結果に基づき前記電話端末の接続認証に関する制御を行うことを特徴とする電話交換システムの制御方法。
【発明の詳細な説明】
【技術分野】
【０００１】
この発明は、ボタン電話装置やＰＢＸ（Private Branch Exchange）といった電話交換装置の不正使用の防止を高めるようにした電話交換装置、電話交換システム及び電話交換装置及び電話交換システムの制御方法に関する。
【背景技術】
【０００２】
従来よりオフィスビルや事業所では、ボタン電話装置やＰＢＸといった電話交換装置が多く使用されている。この種の電話交換装置は、例えば電話機等を内線端末として収容し、この内線端末と公衆網等の外部通信網との間及び内線端末相互間を交換接続して通話を可能にしている。
【０００３】
ところで、このようなシステムでは、電話交換装置に呼処理種別情報を予め記憶しておき、この呼処理種別情報に基づいて交換動作を実行するように構成されている。しかし、使用開始後において、機能を追加する必要が生じたり、また不要な機能を削除する必要が生じることがある。このような場合従来では、例えばユーザからメーカに対し機能の追加を希望する旨を連絡し、その内容に応じてメーカの保守サービス担当者がユーザが希望する機能を電話交換装置に追加する設定作業を行うようにしている。
【０００４】
しかしながら、上記設定作業は、電話交換装置に登録されている呼処理種別情報を書き替えるだけの簡単な作業であるため、ライセンスの無いユーザでも設定作業が簡単に行えてしまい、メーカにとっては不利益となってしまう。また、不当な第三者による呼処理種別情報の改竄、第三者による不正使用が発生するという問題が生じている。
【０００５】
そこで、上記システムでは、電話交換装置内にＩＤを記憶しておき、リモートシステムからのＩＤまたは暗号化ＩＤを受信して電話交換装置内に記憶してあるＩＤと比較して、不一致であれば呼処理動作を規制する方法が提案されている（例えば、特許文献１及び２）。
【特許文献１】特開平７−１７０５４５号公報
【特許文献２】特開２０００−６６７７５公報。
【発明の開示】
【発明が解決しようとする課題】
【０００６】
ところが上記方法では、リモートシステムからＩＤ等を受信しなければならないため、機能の使用要求から呼処理動作に入るまでに多くの手間と時間がかかる。したがって、ユーザにとっては、要求した機能を即時使用することができない。また、リモートシステムのセキュリティが十分とは言えず、不正な第三者によるＩＤの盗聴等が発生するという問題が生じる。
【０００７】
そこで、この発明の目的は、電話交換装置や電話端末の不正使用の防止を図ることができるとともに、ユーザに対し要求された機能を即時使用できるようにした電話交換装置、電話交換システム、電話交換装置及び電話交換システムの制御方法を提供することにある。
【課題を解決するための手段】
【０００８】
この発明は、上記目的を達成するために、以下のように構成される。  
少なくとも１つの電話端末を通信回線を介して接続可能な電話交換装置であって、電話端末に対し、互いに異なる呼処理機能を実行するための複数の呼処理情報を格納する第１の格納手段と、装置ごとに予め付与され、複数の呼処理機能の中から指定された呼処理機能を実行するための許可情報を情報の書き込み不能な記録媒体に格納する第２の格納手段と、要求される呼処理機能に応じて、該当する呼処理情報を読み出すとともに記録媒体から許可情報を読み出し、これら情報に基づき呼処理機能の実行に関する制御を行う制御手段とを備えるようにしたものである。
【０００９】
この構成によれば、情報の書き込み不能な記録媒体に保有されている許可情報を利用して、要求される呼処理機能の実行に先立ち、呼処理機能を使用するユーザが正当な使用権利を持つものであるか否かがチェックされ、これにより不正使用の防止を図ることができるとともに、正当なユーザにとっては要求した呼処理機能を即時使用することができる。また、電話交換装置の販売側にとっては、電話交換装置の不正使用による不利益の発生を防ぐことができる。さらに、許可情報は、情報の書き込み不能な記録媒体に記録されているので、不正な第三者による改竄や盗聴等を防ぐことができる。
【００１０】
さらに、装置固有の固有識別情報を情報の書き込み不能な記録媒体に格納する第３の格納手段と、固有識別情報の複製を防止するための複製防止情報を記録媒体に格納する第４の格納手段とを備え、制御手段は、呼処理情報と許可情報とに基づき要求される呼処理機能の実行が許可された場合に、記録媒体から固有識別情報及び複製防止情報を読み出し、これら情報に基づき呼処理機能の実行に関する制御を行うことを特徴とする。
【００１１】
この構成によれば、要求される呼処理機能の実行に先立ち、情報の書き込み不能な記録媒体から固有識別情報及び複製防止情報を読み出し、これら情報に基づき実行すべく呼処理機能の要求が正当なユーザによるものか否かを判定するようにしている。このため、呼処理機能を利用する際のセキュリティをさらに高めることができる。
【００１２】
第４の格納手段は、複製防止情報として、固有識別情報を秘密情報を用いて暗号化した暗号化情報を記録媒体に格納し、制御手段は、記録媒体から固有識別情報及び暗号化情報を読み出すとともに、暗号化情報を秘密情報を用いて復号し、この復号した情報と固有識別情報とが一致した場合に要求される呼処理機能の実行を許可することを特徴とする。
【００１３】
この構成によれば、複製防止情報は固有識別情報を秘密情報により暗号化した情報であるため、他のユーザが故意に複製防止情報を盗用して自己の電話交換装置の機能設定を行おうとしても、不正な機能使用が行われないようにすることができる。
【００１４】
複数の通信回線間の交換を行う電話交換装置と、通信回線の終端に接続される電話端末とを具備し、電話端末は、自端末の種類を示す第１端末種別情報を情報の書き込み不能な記録媒体に格納する第１の格納手段を備え、電話交換装置は、接続可能な電話端末の第２端末種別情報を情報の書き込み不能な記録媒体に格納する第２の格納手段と、電話端末が通信回線に接続された場合に、当該電話端末から第１端末種別情報を取得するとともに、記録媒体から第２端末識別情報を読み出してこれら情報を比較し、これら比較結果に基づき電話端末の接続認証に関する制御を行う制御手段とを備えるようにしたものである。
【００１５】
この構成によれば、電話端末が通信回線に接続された際に、要求される呼処理機能の実行に先立ち、電話交換装置から電話端末に対しアクセスして第１端末種別情報を取得し、この第１端末種別情報と電話交換装置が保有する第２端末種別情報とを比較し、この比較結果に基づいて接続される電話端末が正当なユーザの電話端末であるか否かを判定するようにしている。このため、電話端末ごとに適切な接続認証処理を行うことができ、これにより不正な端末の接続を防止でき、セキュリティをさらに高めることができる。
【００１６】
制御手段は、電話端末の接続可否の判定結果を、接続元の電話端末に通知することを特徴とする。  
この構成によれば、電話端末のユーザは少なくとも自身が接続した電話端末が接続認証されたか否かを確認することができる。また、その際に接続可否の判定結果に加えて、その理由または対応ガイダンス情報をユーザに通知するようにすれば、受け付けられなかった場合にユーザはその原因を把握して適切なやり直し等を行うことができる。
【発明の効果】
【００１７】
以上詳述したようにこの発明によれば、電話交換装置や電話端末の不正使用の防止を図ることができるとともに、ユーザに対し要求された機能を即時使用できるようにした電話交換装置、電話交換システム及び電話交換装置の制御方法を提供することができる。
【発明を実施するための最良の形態】
【００１８】
以下、この発明の実施形態について図面を参照して詳細に説明する。  
（第１の実施形態）  
図１は、この発明の第１の実施形態に係わる交換システムの概略構成を示す図である。
【００１９】
交換システムは、同図に示すように、主装置１Ａに、ボタン電話端末Ｔ１，Ｔ２をそれぞれ内線インタフェースを介して任意に接続して構成されている。
【００２０】
主装置１Ａは、さらに、制御ユニット１１、内線インタフェース回路１２，１３、アナログ局線インタフェース回路１４、専用線インタフェース回路１５を備えている。そして、制御ユニット１１、内線インタフェース回路１２，１３、アナログ局線インタフェース回路１４及び専用線インタフェース回路１５は、データハイウェイ１６を介して互いに接続されている。
【００２１】
制御ユニット１１は、タイムスイッチ１１１と、ＣＰＵ１１２と、データベース１１３と、情報の書き込み不能なメモリ（ＥＥＰＲＯＭ１）１１４と、ＬＡＮインタフェース部１１５と、情報の書き込み不能なメモリ（ＥＥＰＲＯＭ２）１１６とを備える。これらタイムスイッチ１１１、ＣＰＵ１１２、データベース１１３、メモリ１１４及びＬＡＮインタフェース部１１５は、バス１１７を介して互いに接続されている。
【００２２】
内線インタフェース回路１２には、ボタン電話端末Ｔ１が必要に応じて接続される。内線インタフェース回路１２は、接続されたボタン電話端末Ｔ１に関する内線インタフェース動作を行う。また、内線インタフェース回路１２は、上記内線インタフェース動作に係わる種々の制御情報の授受を、データハイウェイ１６を介して制御ユニット１１との間で行なう。
【００２３】
内線インタフェース回路１３には、ボタン電話端末Ｔ２が必要に応じて接続される。内線インタフェース回路１３は、接続されたボタン電話端末Ｔ２に関する内線インタフェース動作を行う。また、内線インタフェース回路１３は、上記内線インタフェース動作に係わる種々の制御情報の授受を、データハイウェイ１６を介して制御ユニット１１との間で行う。
【００２４】
アナログ局線インタフェース回路１４には、公衆網ＮＷに接続される局線が必要に応じて接続される。アナログ局線インタフェース回路１４は、接続された局線に関するインタフェース動作を行なう。また、アナログ局線インタフェース回路１４は、上記インタフェース動作に係わる種々の制御情報の授受を、データハイウェイ１６を介して制御ユニット１１との間で行なう。
【００２５】
専用線インタフェース回路１５には、専用網ＰＮＷが必要に応じて接続される。専用線インタフェース回路１５は、接続された専用線に関するインタフェース動作を行なう。また、専用線インタフェース回路１５は、上記インタフェース動作に係わる種々の制御情報の授受を、データハイウェイ１６を介して制御ユニット１１との間で行なう。
【００２６】
タイムスイッチ１１１は、ＣＰＵ１１２の制御に基づいてＰＣＭハイウェイ上のタイムスロットの入れ替えを行なうことによって、内線インタフェース回路１２，１３、アナログ局線インタフェース回路１４及び専用線インタフェース回路１５を任意に交換接続する。
【００２７】
ＣＰＵ１１２は、データベース１１３及びメモリ１１４，１１６に格納されているデータに基づいた処理を行なうことで、タイムスイッチ１１１、内線インタフェース回路１２，１３、アナログ局線インタフェース回路１４及び専用線インタフェース回路１５のそれぞれを総括制御し、主装置１Ａとしての動作を実現する。
【００２８】
データベース１１３には、国別の呼処理動作を実行するための呼処理情報が記憶されている。図２は、その記憶内容の一例を示し、例えば日本で呼処理動作させるための情報が記憶されている。
【００２９】
メモリ１１４には、図３に示す如く、予め指定された呼処理動作を実行するための許可情報としてのシステム種別情報が記憶されている。また、メモリ１１４には、図５に示す如く、複製防止用のデータが記憶される。
【００３０】
ＬＡＮインタフェース部１１５は、接続される保守用のパーソナル・コンピュータＰＣに関するインタフェース動作を行う。メモリ１１６には、図４に示す如く、パーソナル・コンピュータＰＣにより書き込まれるシステム固有のシステム固有識別子情報が記憶される。
【００３１】
次に、以上のような構成における動作について説明する。  
まず、システム種別情報及び複製防止データを書き込む動作について説明する。  
製造者は、パーソナル・コンピュータＰＣによりシステム種別情報（例えば使用国コード）及び複製防止データをメモリ１１４に書き込む。この複製防止データは、例えば製造者がシステム固有識別子情報（例えばＭＡＣ（Media Access Control）アドレス）を秘密情報を用いて暗号化したデータである。この秘密情報は、メモリ１１４に記憶され、予め指定されたデータコードが使用される。
【００３２】
システム固有識別子情報も同様に、パーソナル・コンピュータＰＣによりメモリ１１６に書き込まれる。このデータは、保守者が変更することのできないデータである。
【００３３】
図６は、呼処理動作を規制するためのＣＰＵ１１２の制御処理を示すフローチャートである。まず、主装置１Ａの使用者が電源投入を行うと、ＣＰＵ１１２はデータベース１１３から呼処理情報を読み出し（ステップＳＴ６ａ）、続いてメモリ１１４からシステム種別情報を読み出し（ステップＳＴ６ｂ）、これら情報が一致するか否かの判断を行う（ステップＳＴ６ｃ）。ここで、一致しない場合には（Ｎｏ）、ＣＰＵ１１２は呼処理動作の規制処理を行う（ステップＳＴ６ｄ）。
【００３４】
一方、一致したならば（Ｙｅｓ）、ＣＰＵ１１２はメモリ１１４からシステム固有識別子情報を読み出し（ステップＳＴ６ｅ）、続いてメモリ１１４から複製防止データを読み出し、この複製防止データをメモリ１１４に記憶されている秘密情報を用いて復号する（ステップＳＴ６ｆ）。そして、復号データとシステム固有識別子情報とを比較して、一致するか否かの判断を行う（ステップＳＴ６ｇ）。ここで、一致しない場合には（Ｎｏ）、ＣＰＵ１１２は呼処理動作の規制処理を行う（ステップＳＴ６ｈ）。
【００３５】
一方、一致したならば（Ｙｅｓ）、ＣＰＵ１１２はシステムを正常に起動させ、呼処理を実行する（ステップＳＴ６ｉ）。
【００３６】
なお、上記ステップＳＴ６ｄ及びステップＳＴ６ｈでは、呼処理動作を規制した状態でシステムを起動するが、ボタン電話端末Ｔ１，Ｔ２から保守モードに遷移することのみ可能であり、発信、着信等の呼処理動作は規制される。
【００３７】
以上のように上記第１の実施形態では、主装置１ＡのＣＰＵ１１２において、システムが起動された際に、呼処理動作の実行に先立ち、情報の書き込み不能なメモリ１１４に記憶されているシステム種別情報を利用して、例えばボタン電話端末Ｔ１，Ｔ２を使用するユーザが主装置１Ａの正当な使用権利を持つものであるか否かを判定し、この判定結果に基づきボタン電話端末Ｔ１，Ｔ２の使用を許可するようにしている。
【００３８】
従って、主装置１Ａの不正使用の防止を図ることができるとともに、正当なユーザにとってはボタン電話端末Ｔ１，Ｔ２等を即時使用することができる。また、主装置１Ａの販売側にとっては、主装置１Ａの不正使用による不利益の発生を防ぐことができる。さらに、システム種別情報は、情報の書き込み不能なメモリ１１４に記憶されているので、不正な第三者による改竄や盗聴等を防ぐことができる。
【００３９】
また、上記第１の実施形態では、ＣＰＵ１１２において、情報の書き込み不能なメモリ１１６からシステム固有識別子情報を読み出すとともに、メモリ１１４から複製防止データを読み出して比較し、この比較結果に基づき実行すべく呼処理の要求が正当なユーザによるものか否かを判定するようにしている。
【００４０】
従って、第三者により呼処理情報及びシステム種別情報が見破られる場合にも、主装置１Ａの不正使用を防止することができ、これによりセキュリティをさらに高めることができる。
【００４１】
さらに、上記第１の実施形態では、複製防止データとして、システム固有識別子情報を秘密情報により暗号化した情報を用いるため、他のユーザが故意に複製防止データを盗用して自己の主装置の呼処理動作を行おうとしても、不正使用が行われないようにすることができる。
【００４２】
（第２の実施形態）  
図７は、この発明の第２の実施形態に係わる交換システムの概略構成を示す図である。なお、図７において、上記図１と同一部分には同一符号を付して説明する。
【００４３】
主装置１Ｂには、内線インタフェース回路１７が備えられる。そして、内線インタフェース回路１７には、新たなボタン電話端末Ｔ３が接続される。
【００４４】
ボタン電話端末Ｔ３は、情報の書き込み不能なメモリ３１が設けられている。このメモリ３１には、図８に示すように、ボタン電話端末Ｔ３の種類を示す端末種別データが記憶されている。
【００４５】
一方、主装置１Ｂのメモリ１１４には、図９に示すように、接続が許可された端末を示すシステム種別情報が記憶されている。
【００４６】
次に、以上のような構成における動作について説明する。  
まず、端末種別データをボタン電話端末Ｔ３のメモリ３１に書き込む動作について説明する。  
ここで、端末種別データをボタン電話端末Ｔ３のメモリ３１に書き込む場合に、図１０に示すように、パーソナル・コンピュータＰＣ２及びデータ送信装置ＤＴが使用される。いま、製造者がパーソナル・コンピュータＰＣ２を使用して端末種別データを入力したとする。すると、端末種別データは、図１１に示すように、データ送信装置ＤＴに供給され、コード化される。データ送信装置ＤＴによりコード化された端末種別データは、ボタン電話端末Ｔ３に送られ、メモリ３１に書き込まれる。
【００４７】
次に、ボタン電話端末Ｔ３が接続される際に、主装置１Ｂは次の処理を実行する。図１２は、主装置１Ｂがボタン電話端末Ｔ３から端末種別データを取得する際の信号の送受信手順を示すシーケンス図であり、図１３はＣＰＵ１１２の制御処理手順を示すフローチャートである。
【００４８】
まず、ボタン電話端末Ｔ３が接続されると、ＣＰＵ１１２はボタン電話端末Ｔ３の接続を認識し（ステップＳＴ１３ａ）、ボタン電話端末Ｔ３に対し端末種別データの問い合わせを行う（ステップＳＴ１３ｂ）。そして、問い合わせに対しボタン電話端末Ｔ３から端末種別データを受信すると、ＣＰＵ１１２はメモリ１１４から端末種別データを読み出し、この端末種別データと受信した端末種別データとが一致するか否かの判断を行う（ステップＳＴ１３ｃ）。ここで、一致しないならば（Ｎｏ）、ＣＰＵ１１２はボタン電話端末Ｔ３を閉塞の状態にし、使用不可の旨をボタン電話端末Ｔ３に通知する（ステップＳＴ１３ｄ）。
【００４９】
一方、一致したならば（Ｙｅｓ）、ＣＰＵ１１２はボタン電話端末Ｔ３の接続を許可する。
【００５０】
以上のように上記第２の実施形態では、ボタン電話端末Ｔ３が主装置１Ｂに接続された際に、主装置１Ｂにおいて、ボタン電話端末Ｔ３から端末種別データを取得し、この端末種別データとメモリ１１４に記憶される端末種別データとを比較し、この比較結果に基づいて接続されるボタン電話端末Ｔ３が正当なユーザのものであるか否かを判定するようにしている。
【００５１】
従って、接続されるボタン電話端末Ｔ３ごとに適切な接続認証処理を行うことができ、これにより不正な端末の接続を防止でき、セキュリティをさらに高めることができる。
【００５２】
また、上記第２の実施形態では、ボタン電話端末Ｔ３の接続認証が行なわれなかった場合に、その旨をボタン電話端末Ｔ３に通知するようにしているので、ボタン電話端末Ｔ３のユーザは接続認証が行なわれたか否かを確認することができる。また、その際に接続可否の判定結果に加えて、その理由または対応ガイダンス情報をユーザに通知するようにすれば、受け付けられなかった場合にユーザはその原因を把握して適切なやり直し等を行うことができる。
【００５３】
（その他の実施形態）  
なお、この発明は上記各実施形態に限定されるものではない。例えば、上記各実施形態では、システム種別情報及び端末種別データに使用国別コードを用いる例について説明した。しかしこれに限ることなく、例えば使用が許可された呼処理機能についてのコードを用いるようにしてもよい。また、呼処理機能以外にも接続端末数、使用回線数を規定するコードを用いるようにしてもよい。
【００５４】
また、上記第１の実施形態では、システム起動時に主装置の呼処理規制を行う例について説明した。しかしこれに限ることなく、要求される呼処理機能ごとに呼処理規制を行うようにしてもよい。この場合、使用が許可された呼処理機能ごとのシステム種別情報をメモリ１１４に記憶しておくようにすればよい。
【００５５】
また、上記第１の実施形態では、データベース１１３に使用可能な国を示す国別コードを記憶する例について説明したが、これに限ることなく主装置１Ａで使用可能な全呼処理機能それぞれについての指定コードを記憶しておくようにしてもよい。
【００５６】
その他、システムの構成や種類、主装置といった電話交換装置の構成や種類、ボタン電話端末といった電話端末の種類、不正使用を防止するための制御手順、不正使用を防止するために用いる情報の種類等についても、この発明の要旨を逸脱しない範囲で種々変形して実施できる。
【図面の簡単な説明】
【００５７】
【図１】この発明の第１の実施形態に係わる交換システムの概略構成を示すブロック図。
【図２】図１に示したデータベースに記憶される呼処理情報の一例を示す図。
【図３】図１に示した情報書き込み不可のメモリに記憶されるシステム種別情報の一例を示す図。
【図４】図１に示した情報書き込み不可のメモリに記憶されるシステム固有識別子情報の一例を示す図。
【図５】図１に示した情報書き込み不可のメモリに記憶される複製防止データの一例を示す図。
【図６】同第１の実施形態において、呼処理動作を規制するためのＣＰＵの制御処理を示すフローチャート。
【図７】この発明の第２の実施形態に係わる交換システムの概略構成を示すブロック図。
【図８】図７に示した端末内のメモリに記憶される端末種別データの一例を示す図。
【図９】図７に示した主装置内のメモリに記憶されるシステム種別情報の一例を示す図。
【図１０】同第２の実施形態において、ボタン電話端末のメモリに端末種別データを書き込む際の装置構成を示すブロック図。
【図１１】同第２の実施形態において、ボタン電話端末のメモリに端末種別データを書き込む際の信号送受信動作を示すシーケンス図。
【図１２】同第２の実施形態において、主装置がボタン電話端末から端末種別データを取得する際の信号の送受信手順を示すシーケンス図。
【図１３】同第２の実施形態におけるＣＰＵの制御処理手順を示すフローチャート。
【符号の説明】
【００５８】
１Ａ，１Ｂ…主装置、１１…制御ユニット、１２，１３…内線インタフェース回路、１４…アナログ局線インタフェース回路、１５…専用線インタフェース回路、１６…データハイウェイ、１７…内線インタフェース回路、３１…メモリ、１１１…タイムスイッチ、１１２…ＣＰＵ、１１３…データベース、１１４，１１６…メモリ、１１５…ＬＡＮインタフェース部、１１７…バス、Ｔ１，Ｔ２，Ｔ３…ボタン電話端末，ＮＷ…公衆網、ＰＮＷ…専用網、ＰＣ１，ＰＣ２…パーソナル・コンピュータ，ＤＴ…データ送信装置。
【図１】
2005167422.tif 000003
【図２】
2005167422.tif 000004
【図３】
2005167422.tif 000005
【図４】
2005167422.tif 000006
【図５】
2005167422.tif 000007
【図６】
2005167422.tif 000008
【図７】
2005167422.tif 000009
【図８】
2005167422.tif 000010
【図９】
2005167422.tif 000011
【図１０】
2005167422.tif 000012
【図１１】
2005167422.tif 000013
【図１２】
2005167422.tif 000014
【図１３】
2005167422.tif 000015